(57)【要約】【課題】  この発明は、原稿の取り忘れをより確実にユーザに知らせることができるようになる画像形成装置を提供することを目的とする。【解決手段】  排出紙を保持するための排出トレイと、手動で開閉させる原稿押さえとを備えた画像形成装置において、原稿押さえが開かれた状態にあるか閉じられた状態にあるかを検出するための開閉状態検知センサ、排出トレイ上に排出紙が存在しているか否かを検知するための排出紙検知センサ、ならびに複写動作が終了した場合に、開閉状態検知センサの検出信号と排出紙検知センサの検出信号とに基づいて、原稿押さえが開かれていない状態において排出トレイ上から排出紙が取り除かれたことが検出されたときに、原稿の取り忘れをユーザに報知する報知手段を備えている。【選択図】  図４
2006208973.tif 000002
【特許請求の範囲】
【請求項１】
排出紙を保持するための排出トレイと、手動で開閉させる原稿押さえとを備えた画像形成装置において、
原稿押さえが開かれた状態にあるか閉じられた状態にあるかを検出するための開閉状態検知センサ、
排出トレイ上に排出紙が存在しているか否かを検知するための排出紙検知センサ、ならびに
複写動作が終了した場合に、開閉状態検知センサの検出信号と排出紙検知センサの検出信号とに基づいて、原稿押さえが開かれていない状態において排出トレイ上から排出紙が取り除かれたことが検出されたときに、原稿の取り忘れをユーザに報知する報知手段、
を備えていることを特徴とする画像形成装置。
【請求項２】
報知手段が表示器であることを特徴とする請求項１に記載の画像形成装置。
【請求項３】
報知手段が排出トレイの近傍に設けられた表示器であることを特徴とする請求項１に記載の画像形成装置。
【請求項４】
報知手段がブザーであることを特徴とする請求項１に記載の画像形成装置。
【発明の詳細な説明】
【技術分野】
【０００１】
この発明は、複写機等の画像形成装置に関する。
【背景技術】
【０００２】
ユーザは、複写機を使用して複写を行った場合、複写後に原稿を取り忘れることがある。そこで、複写動作が終了してから所定時間内に原稿押さえが開かれなかった場合には、ブザー等の警告音を出力する複写機が既に開発されている。
【０００３】
このような複写機においては、ユーザが複写機の近くに居る場合には、警告音によって原稿の取り忘れをユーザに知らせることができるが、複写枚数が多い場合などにおいてユーザが複写機から離れてしまっている場合には、原稿の取り忘れをユーザに認知させることができない。
【発明の開示】
【発明が解決しようとする課題】
【０００４】
この発明は、原稿の取り忘れをより確実にユーザに知らせることができるようになる画像形成装置を提供することを目的とする。
【課題を解決するための手段】
【０００５】
請求項１に記載の発明は、排出紙を保持するための排出トレイと、手動で開閉させる原稿押さえとを備えた画像形成装置において、原稿押さえが開かれた状態にあるか閉じられた状態にあるかを検出するための開閉状態検知センサ、排出トレイ上に排出紙が存在しているか否かを検知するための排出紙検知センサ、ならびに複写動作が終了した場合に、開閉状態検知センサの検出信号と排出紙検知センサの検出信号とに基づいて、原稿押さえが開かれていない状態において排出トレイ上から排出紙が取り除かれたことが検出されたときに、原稿の取り忘れをユーザに報知する報知手段を備えていることを特徴とする。
【０００６】
請求項２に記載の発明は、請求項１に記載の発明において、報知手段が表示器であることを特徴とする。
【０００７】
請求項３に記載の発明は、請求項１に記載の発明において、報知手段が排出トレイの近傍に設けられた表示器であることを特徴とする。
【０００８】
請求項４に記載の発明は、請求項１に記載の発明において、報知手段がブザーであることを特徴とする。
【発明の効果】
【０００９】
この発明によれば、原稿の取り忘れをより確実にユーザに知らせることができるようになる。
【発明を実施するための最良の形態】
【００１０】
以下、図面を参照して、この発明を複写機に適用した場合の実施例について説明する。
【実施例１】
【００１１】
図１および図２は、複写機の外観を示している。
【００１２】
複写機１の本体（複写機本体）２の上側には手動で開閉させる原稿押さえ３が設けられている。複写機本体２の左側には、画像が複写された排出紙を保持するための排出トレイ４が設けられている。
【００１３】
複写機本体２の上部には、原稿押さえ３が開かれた状態にあるか閉じられた状態にあるかを検出するための開閉状態検知センサ２１が設けられている。排出トレイ４上には、排出トレイ４上に排出紙が存在しているか否かを検知するための排出紙検知センサ２２が設けられている。また、排出トレイ４上には、原稿の取り忘れをユーザに知らせるためのＬＥＤ２３が設けられている。
【００１４】
図３は、複写機の電気的構成を示している。
【００１５】
複写機１は、画像読取部１１、画像形成部１２、操作部１３およびこれらを制御する制御部１０等を備えている。操作部１３は、各種設定画面を表示するためのタッチパネル付き表示器１３ａを備えている。制御部１０は、ＣＰＵ、そのプログラムを記憶するＲＯＭ、必要なデータを記憶するＲＡＭ等を備えている。また、制御部１０には、開閉状態検知センサ２１、排出紙検知センサ２２およびＬＥＤ駆動回路１４が接続されている。ＬＥＤ駆動回路１４には、ＬＥＤ２３が接続されている。
【００１６】
図４は、複写機の動作を示している。
【００１７】
ユーザは原稿押さえ３を開いて原稿を複写機本体２上のコンタクトガラス（図示略）上にセットした後、原稿押さえ３を閉じる。
【００１８】
その後、ユーザによって複写設定が行われた後（ステップＳ１）、スタートキーが押し下げられると（ステップＳ２）、複写動作を行う（ステップＳ３）。
【００１９】
複写動作が終了すると（ステップＳ４）、開閉状態検知センサ２１の検出信号に基づいて原稿押さえ３が開かれたか否かを判別する（ステップＳ５）。
【００２０】
原稿押さえ３が開かれなかったと判別した場合には、原稿が複写機本体２上に残っていると判別し、排出紙検知センサ２２の検出信号に基づいて排出トレイ４上に排出紙が存在しているか否かを判別する（ステップＳ６）。
【００２１】
排出トレイ４上に排出紙が存在していないと判別した場合には、排出紙が取り除かれたにもかかわらず、原稿が複写機本体２上に残っていると判別し、原稿の取り忘れを知らせるためのＬＥＤ２３を点灯させる（ステップＳ７）。なお、ステップＳ７でＬＥＤ２３が点灯されると、後述するステップＳ８またはＳ９で消灯されるまで、若しくは複写機の電源がオフされるまで、その点灯状態を維持する。
【００２２】
上記ステップＳ６において、排出トレイ４上に排出が存在していると判別した場合には、排出紙が取り除かれてないと判別し、ＬＥＤ２３が点灯してれば消灯させる（ステップＳ８）。ＬＥＤ２３が消灯状態であれば、その状態を維持する。ステップＳ８の後、ステップＳ５に戻る。なお、上記ステップＳ６において、排出トレイ４上に排出紙が存在していると判別した場合において、ＬＥＤ２３が点灯している場合とは、複写枚数が複数枚であり、排出トレイ４上の排出紙が取り除かれたためにステップＳ７でＬＥＤ２３が一旦点灯されたが、この後に、排出トレイ４上に排出紙が送られてきた場合である。
【００２３】
上記ステップＳ５において、原稿押さえ３が開かれたと判別した場合には、原稿が複写機本体２上に残っていないと判別し、ＬＥＤ２３が点灯してれば消灯させた後（ステップＳ９）、今回の処理を終了する。
【００２４】
上記実施例では、複写動作が終了した後において、原稿押さえ３が開かれておらず、かつ排出トレイ４上に排出紙が存在しないときに、ＬＥＤ２３が点灯せしめられる。つまり、複写動作が終了した後に、原稿押さえ３が開かれていない状態において、排出トレイ４上の排出紙がユーザによって取り除かれたときに、ＬＥＤ２３が点灯されるので、ユーザは複写機１の近くにいるときにＬＥＤ２３が点灯される。このため、ユーザは、原稿の取り忘れを認識しやすくなる。しかも、ＬＥＤ２３は排出トレイ５上に設けられており、排出トレイ４上の排出紙をユーザが取り除いたときに、排出トレイ４上のＬＥＤ２３が点灯されるから、ユーザはＬＥＤ２３の点灯を認知しやすいという利点がある。
【００２５】
なお、ＬＥＤ２３は、排出トレイ４上に設けなくてもよいが、排出トレイ４の近傍に設けることが好ましい。また、ＬＥＤ２３に代えてブザーを用いてもよい。
【００２６】
ブザーを用いた場合には、ＬＥＤ２３と全く同じように、ブザーのオンオフを制御してもよいが、上記ステップＳ７でブザーを一定期間のみオンさせるようにしてもよい。この場合には、ステップＳ８、Ｓ９でブザーをオフする必要はない。
【図面の簡単な説明】
【００２７】
【図１】複写機の外観を示す正面図である。
【図２】複写機の外観を示す平面図である。
【図３】複写機の電気的構成を示すブロック図である。
【図４】複写機の動作を示すフローチャートである。
【符号の説明】
【００２８】
１  複写機
２  複写機本体
３  原稿押さえ
４  排出トレイ
１０  制御部
１１  画像読取部
１２  画像形成部
１３  操作部
１３ａ  表示器
１４  ＬＥＤ駆動回路
２１  開閉状態検知センサ
２２  排出紙検知センサ
２３  ＬＥＤ
【図１】
2006208973.tif 000003
【図２】
2006208973.tif 000004
【図３】
2006208973.tif 000005
【図４】
2006208973.tif 000006